(57)【特許請求の範囲】
【請求項１】
一端部に取出口が形成された容器本体と、前記取出口に設けられこの取出口を塞ぐ仕切壁部とこの仕切壁部に形成された注入口とこの注入口が連通した計量部を有する中栓本体と、前記中栓本体に取り付けられ前記注入口を前記容器本体側から閉鎖する注入弁を有する中栓バルブと、前記中栓バルブに設けられ前記計量部の開口部を前記容器本体外側から閉鎖する注出弁を有する注出口部材と、前記中栓バルブと前記注出口部材を前記容器本体外側方向に付勢する付勢部材が設けられ、前記注出口部材には、前記計量部内面に対する摺動をガイドする摺動ガイドが設けられ、前記摺動ガイドに前記容器本体内の収容物を注出する注ぎ口と空気口が形成され、前記注出口部材の前記注ぎ口には、側方に突出した注出突部が形成され、
前記注出口部材の前記注出弁の外表面には、被係止物に係止可能な突起部を備え、
前記突起部は、円筒状に形成されその先端部は、前記注ぎ口と前記空気口に近い部分は高く、前記注ぎ口と前記空気口を結んだ仮想線に対して直交する直径上の部分に溝部が形成され、
前記注出口部材は、正立状態では前記付勢部材により前記注入弁が閉じ前記注出弁が開いた状態であり、
前記容器本体内の内容物を所望の器に注出する際に、前記容器本体を逆さまにした状態で、前記突起部を前記器に当接させ、前記注出口部材を前記中栓本体に対して摺動させることにより、前記付勢部材が弾性変形して前記注入弁が開き前記注出弁が閉じた計量状態となり、押圧を解除すると前記付勢部材が復元して前記注入弁が閉じ前記注出弁が開いた注出状態となり、前記器に計量された前記内容物が注出され、前記計量状態と前記注出状態を択一的に且つほぼ同時に切り替え可能に設けられていることを特徴とする定量注出容器。
【請求項２】
前記注出弁には、前記計量部の開口部に一周して密着する凸部が設けられている請求項１記載の定量注出容器。
【請求項３】
前記付勢部材はコイルバネであり、前記中栓バルブと前記注出口部材の連結部分の内側に収容されている請求項１記載の定量注出容器。
【請求項４】
前記付勢部材は合成樹脂製であり、前記中栓本体または前記注出口部材から一体成形されている請求項１記載の定量注出容器。
【発明の詳細な説明】
【技術分野】
【０００１】
この発明は、液体の医薬品や化粧品、食品その他の流動性材料を収容し、内容物を注出可能な定量注出容器に関する。
【背景技術】
【０００２】
従来、特許文献１等に開示されたように、液体の医薬品や化粧品、食品その他の流動性材料を収容する定量注出容器がある。定量注出容器は、一回の使用量を計量して一定化するものであり、例えば、上端に筒状の取出口を有する容器本体と、この取付口に密閉して取り付けられた計量部材と、計量部材の内側に設けられ一定ストロークで移動する弁部材が設けられている。計量部材には、容器本体に連通する注入口と、外部に連通する注出口が設けられ、弁部材は注入口と注出口を選択的に密閉する。
【０００３】
このような定量注出容器の使用方法は、まず弁部材を、計量部材の注入口を開口し注入口を閉鎖する計量状態にし、容器本体を逆さまにして収容物を計量室に流入させて計量する。そして容器本体を元の向きに直し、弁部材を移動して、計量部材の注入口を閉鎖し注出口を開口する注出状態とする。そして、もう一度容器本体を逆さまにして計量室内の収容物を注出する。
【特許文献１】実開昭６０−２４７５６号公報
【特許文献２】実開平３−７５１６３号公報
【特許文献３】特開平１１−２６８７５８号公報
【発明の開示】
【発明が解決しようとする課題】
【０００４】
上記従来の技術の場合、弁部材を指でスライドさせることで、計量状態と注出状態を切り替える必要があり、手間がかかるものであった。また、手で直接弁部材に触れるため、注出口からの裏漏りなどによって弁部材に薬液が回り、指に付着する場合がある。また、これによって指の汚れが収容物に入り、不衛生となることも考えられる。また計量作業は、容器本体を逆さまにし、それを戻して薬液を計量し、弁部材を移動させた後に再び容器本体を逆さまにして注出するため、計量に伴う作業工程が多く、構造も複雑なものであった。
【０００５】
この発明は、上記従来の技術の問題点に鑑みてなされたものであり、簡単な構造で計量操作が容易であり、衛生的に収容物を取り出すことができる定量注出容器を提供することを目的とする。
【課題を解決するための手段】
【０００６】
本発明は、一端部に取出口が形成された容器本体と、前記取出口に設けられこの取出口を塞ぐ仕切壁部とこの仕切壁部に形成された注入口とこの注入口が連通した計量部を有する中栓本体と、前記中栓本体に取り付けられ前記注入口を前記容器本体側から閉鎖する注入弁を有する中栓バルブと、前記中栓バルブに設けられ前記計量部の開口部を前記容器本体外側から閉鎖する注出弁を有する注出口部材と、前記中栓バルブと前記注出口部材を前記容器本体外側方向に付勢する付勢部材が設けられ、前記注出口部材には、前記計量部内面に対する摺動をガイドする摺動ガイドが設けられ、前記摺動ガイドに前記容器本体内の収容物を注出する注ぎ口と空気口が形成され、前記注出口部材の前記注ぎ口には、側方に突出した注出突部が形成され、前記注出口部材の前記注出弁の外表面には、被係止物に係止可能な突起部を備え、前記注出口部材は、正立状態では前記付勢部材により前記注入弁が閉じ前記注出弁が開いた状態であり、前記容器本体内の内容物を所望の器に注出する際に、前記容器本体を逆さまにした状態で、前記突起部を前記器に当接させ、前記注出口部材を前記中栓本体に対して摺動させることにより、前記付勢部材が弾性変形して前記注入弁が開き前記注出弁が閉じた計量状態となり、押圧を解除すると前記付勢部材が復元して前記注入弁が閉じ前記注出弁が開いた注出状態となり、前記器に計量された前記内容物が注出され、前記計量状態と前記注出状態を択一的に且つほぼ同時に切り替え可能に設けられている定量注出容器である。前記注出口部材の前記突起部は、円筒状に形成されその先端部は、前記注ぎ口と前記空気口に近い部分は高く、前記注ぎ口と前記空気口を結んだ仮想線に対して直交する直径上の部分に溝部を備える。
【０００７】
また、前記注出弁には、前記計量部の開口部に一周して密着する凸部が設けられている。
【０００８】
前記付勢部材はコイルバネであり、前記中栓バルブと前記注出口部材の連結部分の内側に収容されている。
【０００９】
前記付勢部材は合成樹脂製であり、前記中栓本体または前記注出口部材から一体成形されている。
【発明の効果】
【００１０】
本発明の定量注出容器は、簡単な構造で計量操作が容易であり、衛生的に収容物を取り出すことができる。
【発明を実施するための最良の形態】
【００１１】
以下、この発明の実施形態について図面に基づいて説明する。図１〜図４はこの発明の第一実施形態を示すもので、この実施形態の定量注出容器１０は、有底筒状の容器本体１２を有し、容器本体１２は比較的硬い合成樹脂で作られている。容器本体１２の上端部には、径が小さい円筒状の取出口１４が一体に形成され、取出口１４の外側面には雄ネジ１６が形成されている。取出口１４の外側面の先端部付近には、溝部１７が一周して形成されている。
【００１２】
取出口１４には、合成樹脂で作られた中栓本体１８が嵌合されて取り付けられている。中栓本体１８には、取出口１４の内側に嵌合される円筒状の取付部２０が設けられ、取付部２０の基端部には、取出口１４の上端部に当接するフランジ部２２が一周して一体に形成されている。フランジ部２２の外周縁部に連続して、取出口１４の外側を覆う円筒形の装着部２４が設けられ、装着部２４の内周面には、取出口１４の溝部１７に係合する凸部２６が形成されている。
【００１３】
中栓本体１８には、フランジ部２２の周縁部に連続して取付部２０の内側に延出し中栓本体１８内を仕切る仕切壁部２８が一体に形成されている。仕切壁部２８には、透孔である注入口３０が周縁部に形成されている。仕切壁部２８の内面の、取付部２０側には、後述する中栓バルブ３８の注入弁４２の周縁部に当接する段部３２が一周して形成されている。注入口３０は仕切壁部２８に２カ所形成され、その間の部分は、中心を通る半径方向に帯状に切り残され、仕切壁部２８の中心には、円筒形の第一支持軸３４が一体に設けられている。第一支持軸３４の挿通方向は、取付部２０の挿通方向に対してほぼ平行であり、仕切壁部２８から、取付部２０と反対方向に所定の長さに突出して設けられている。また、フランジ部２２の上方には、円筒状の計量部３６が形成されている。計量部３６の上端面３６ａは第一支持軸３４よりも高い位置に達している。なお、中栓本体１８は計量部３６の中の収容物が視認可能な、透明な樹脂で成形されている。
【００１４】
中栓本体１８の第一支持軸３４の内側空間には、中栓バルブ３８が設けられている。中栓バルブ３８には、第一支持軸３４の内側空間に挿通される円柱状の支持部４０が設けられ、支持部４０の取付部２０側の端部４０ａには、中栓本体１８の仕切壁部２８の注入口３０を閉鎖する注入弁４２が一体に設けられている。注入弁４２は、注入口３０の段部３２に当接し、仕切壁部２８を覆って、注入口３０を閉鎖する。支持部４０の、注入弁４２と反対側の端部４０ｂは、中栓本体１８の第一支持軸３４に挿通されて第一支持軸３４からさらに上方へ突出し、計量部３６の上端面３６ａを所定高さ超えた位置に達している。支持部４０の、端部４０ｂより少し下の部分には、側周面に凸部４１が一周して形成されている。
【００１５】
中栓バルブ３８の支持部４０の端部４０ｂには、注出口部材４４が取り付けられている。注出口部材４４は、中栓本体１８の計量部３６の上端面３６ａを閉鎖する円形の注出弁４６が設けられ、注出弁４６の、計量部３６側の面の周縁部には、計量部３６の上端面３６ａに当接する凸部４８が一周して形成されている。注出弁４６の、計量部３６側の面の中心には、円筒状の第二支持軸５０が、注出弁４６に対してほぼ直角に形成されている。第二支持軸５０は、注出弁４６を中栓本体１８に取り付けた状態で中栓本体１８の仕切壁部２８近傍に達する長さに設けられている。第二支持軸５０の内側空間の奥部分は、中栓バルブ３８の支持部４０の端部４０ｂが差し込まれる係合部５２となっている。係合部５２は、支持部４０が差し込まれる直径に形成され、係合部５２の内周面には支持部４０端部４０ｂの凸部４１が嵌合される凹部５４が一周して形成されている。第二支持軸５０の、内側空間の開口縁部５０ａ側の部分は、大径部５６となっている。大径部５６は、係合部５２よりも直径が大きい円筒形であり、支持部４０の側周面との間に収容空間５８が形成される。第二支持軸５０の開口縁部５０ａには、中栓本体１８の第一支持軸３４の上端部が、摺動可能に嵌合されている。
【００１６】
注出口部材４４の注出弁４６の、計量部３６側の面には、計量部３６の内側に差し込まれ計量部３６の上端面３６ａを閉鎖する円筒部６０が形成されている。円筒部６０の外周は、計量部３６との摺動が良好となるようにガイドする摺動ガイドであり、計量部３６の内周面とわずかなゆとりを有している。円筒部６０の、互いに対向する位置の２箇所には、収容物を注出する注ぎ口６２と空気口６４が、円筒部６０を貫通して形成されている。注出弁４６の注ぎ口６２近傍には、三角形状で側方に突出した注出突部６６が形成され、注出方向の目印と注出時の液切れの役割を果たしている。
【００１７】
注出弁４６の、計量部３６と反対側の面である外側面には、突起部６８が形成されている。突起部６８は、注出弁４６と同心円の円筒状であり、突起部６８の先端部は、注ぎ口６２と空気口６４に近い部分は高く、注ぎ口６２と空気口６４を結んだ仮想線に対して直交する直径上の部分には、なだらかにくぼんだ溝部７０が形成されている。
【００１８】
中栓バルブ３８の支持部４０の周囲に形成された収容空間５８には、スプリング７２が設けられている。スプリング７２は、金属製の圧縮コイルバネであり、中栓バルブ３８の支持部４０外周にセットされ、不透明な樹脂で成形された注出口部材４４の大径部５６に覆われて外部から見えなくなっている。スプリング７２の一端部は、注出口部材４４の大径部５６の端部に当接し、他方の端部は中栓本体１８の第一支持軸３４の端部に当接している。
【００１９】
また、容器本体１２の取出口１４には、図４に示すキャップ７４が着脱可能に設けられている。キャップ７４は、容器本体１２の取出口１４基端部付近から中栓本体１８と注出口部材４４を覆う円筒形の側面７４ａを有し、側面７４ａの上端部には円形の上面部７４ｂが設けられている。キャップ７４の上面部７４ｂ内側には、注出口部材４４の注出弁４６周縁部に当接する円筒形の当接部７６が設けられている。当接部７６の少し外側には容器本体１２の取出口１４を包む円筒形の取付部７８が設けられている。取付部７８の内周面には、雄ネジ１６に螺合する雌ネジ８０が形成されている。キャップ７４は、容器本体１２の出口１４に螺合して取り付けられたとき、当接部７６が注出口部材４４の注出弁４６を押圧する。これにより、スプリング７２が弾性変形して圧縮され、注出口部材４４と中栓バルブ３８は容器本体１２側へ移動し、注出弁４６の凸部４８が中栓本体１８の計量部３６上端面３６ａに圧着され、確実に密封される。
【００２０】
次に、この実施形態の定量注出容器１０の使用方法について説明する。容器本体１２にうがい薬などの薬液を入れ、容器本体１２の取出口１４に、あらかじめ中栓バルブ３８、注出口部材４４、スプリング７２を組み立てた中栓本体１８を取り付ける。さらに、図４に示すように容器本体１２の取出口１４に、キャップ７４を取り付ける。このとき、注出口部材４４がキャップ７４の当接部７６に押し下げられ、スプリング７２が圧縮されて弾性変形し、注出口部材４４の注出弁４６は中栓本体１８の計量部３６に密着して注ぎ口６２が計量部３６の内側に入れられて閉鎖され、液漏れを防ぐ。
【００２１】
容器本体１２から薬液を取り出して使用するときは、まずキャップ７４を外す。すると、図１、図３に示すようにスプリング７２が復元して、注出口部材４４はスプリング７２に付勢されて上方へ移動する。このとき、注出口部材４４の注出弁４６が中栓本体１８の計量部３６から離れて注ぎ口６２が開口し、中栓バルブ３８の注入弁４２が中栓本体１８の仕切壁部２８に密着して注入口３０を閉鎖し、容器本体１２の収容物が注出しない状態となる。
【００２２】
次に、図２に示すように、容器本体１２を逆さまにして、容器本体１２内の内容物を取り出して入れる所望の器８２の開口縁部８２ａに、注出口部材４４の突起部６８の溝部７０を嵌め、容器本体１２を開口縁部８２ａに向かって押し付ける。すると、押圧力でスプリング７２が圧縮され、注出口部材４４の注出弁４６が中栓本体１８の計量部３６に密着して注ぎ口６２が閉鎖し、中栓バルブ３８の注入弁４２が中栓本体１８の仕切壁部２８から離れて注入口３０が開口する計量状態となり、容器本体１２内の内容物が計量部３６に流れ込んで満たされる。
【００２３】
そして、容器本体１２を器８２の開口縁部８２ａから離し、注出突部６６付近を器８２の中央付近に移動させると、押圧力が解除されてスプリング７２が復元して、注出口部材４４の注出弁４６が中栓本体１８の計量部３６から離れて注ぎ口６２が開口し、中栓バルブ３８の注入弁４２が中栓本体１８の仕切壁部２８に密着して注入口３０を閉鎖する注出状態となる。そして計量部３６内に計量された内容物が、注ぎ口６２から注出され、器８２に取り出される。このとき、注入弁４２は注入口３０を閉鎖しているため、容器本体１２内の収容物が余分に注出されることがない。使用後は、容器本体１２を元の向きに戻し、キャップ７４を取り付けて保管する。
【００２４】
この実施形態の定量注出容器１０は、簡単な構造と簡単な操作で、確実に一定量の薬液を計量して注出し、正確に使用することができる。計量操作は、器８２に突起部６８を係止して容器本体１２を押し付ける簡単な操作で計量し、容器本体１２を器８２から離すだけで計量した内容物を器８２に直接取り出すことができ、手軽に短時間で一定量を取り出すことができる。計量状態と注出状態の切替操作は、手で行う必要が無く、手が内容物で汚れたり、手についた雑菌が内容物に入ったりする恐れがなく衛生的である。器８２に直接取り出すため、この点からも衛生的であり、また、計量した内容物の量が注入操作中に変化することがなく正確に計量することができる。
【００２５】
次にこの発明の第二実施形態について図５、図６に基づいて説明する。ここで、上記実施の形態と同様の部材は同様の符号を付して説明を省略する。この実施形態の定量注出容器８４は、有底筒状の容器本体１２を有し、容器本体１２の上端部には取出口１４が一体に形成され、取出口１４の外側面には雄ネジ１６が形成されている。
【００２６】
取出口１４には、合成樹脂で作られた中栓本体８６が嵌合されて取り付けられている。中栓本体８６には、取出口１４の内側に嵌合される円筒状の取付部８８が設けられ、取付部８８の長手方向の中間付近には、取出口１４の上端部に当接するフランジ部９０が一周して形成されている。取付部８８の内側には、取付部８８の中心に向かうにつれて容器本体１２側に斜めに傾斜する仕切壁部９２が一体に形成されている。仕切壁部９２の中央側には、注入口９４が形成されている。注入口９４の内周面の、容器本体１２側の約半分には、後述する中栓バルブ１０２の注入弁１０６の周縁部に当接する段部９６が一周して形成されている。
【００２７】
注入口９４の内周面の、容器本体１２と反対側には、スプリング９８が形成されている。スプリング９８は、中栓本体８６と一体成形され、仕切壁部９２の内周面から薄い帯体９８ａがらせん状に上方へ延出し、帯体９８ａの先端にはリング部９８ｂが一体に設けられている。また、フランジ部９０の上方は、取付部８８が上方に延出して形成された計量部１００となっている。なお、中栓本体８６は計量部１００の内側の収容物が視認可能な、透明な樹脂で成形されている。
【００２８】
中栓本体８６の内側には、中栓バルブ１０２が設けられている。中栓バルブ１０２は、中栓本体８６の中心に挿通される棒状の支持部１０４が設けられ、支持部１０４の容器本体１２側に位置する端部には、中栓本体８６の仕切壁部９２の注入口９４を閉鎖する注入弁１０６が一体に設けられている。注入弁１０６は、段部９６に当接して注入口９４を閉鎖する。注入弁１０６の容器本体１２側の面には、取付部８８の内周面に摺動可能に当接するガイド板１０７が設けられ、ガイド板１０７は放射方向に形成された板体であり、複数枚が設けられている。支持部１０４の、注入弁１０６と反対側に位置する端部１０４ａは、計量部１００の上端面１００ａを超えて上方に突出している。支持部１０４の端部１０４ａには、軸方向に円筒状の切り込み部が設けられて弾性変形可能とされ、端部１０４ａより少し下の側周面には、図示しない係合用の凸部が一周して形成されている。
【００２９】
中栓バルブ１０２の支持部１０４の端部１０４ａには、注出口部材１０８が取り付けられている。注出口部材１０８は、中栓本体８６の計量部１００の上端面１００ａを閉鎖する円形の注出弁１１０が設けられ、注出弁１１０の周縁部には、計量部１００の上端面１００ａに当接する微小段部１１２が一周して形成されている。注出弁１１０の中心には、円筒状の係合部１１６が形成されている。係合部１１６は、中栓バルブ１０２の支持部１０４が差し込まれる直径に形成され、係合部１１６の内周面には、支持部１０４端部１０４ａの係合用の凸部が嵌合される図示しない凹部が一周して形成されている。注出弁１１０の円筒状の係合部１１６の側面には、計量部１００の内周面にわずかなゆとりを有して差し込まれるガイドリブ１１４が設けられている。ガイドリブ１１４は、計量部１００との摺動が良好となるようにガイドする摺動ガイドであり、放射方向に形成された板体であり、複数枚が一体に設けられている。
【００３０】
ここで、中栓本体８６のスプリング９８は、帯体９８ａが中栓バルブ１０２の支持部１０４を巻き回し、リング部９８ｂが注出口部材１０８のガイドリブ１１４の、計量部１００側の縁部に対向している。
【００３１】
注出弁１１０の、中栓本体８６と反対側の面には、第一実施形態と同様の突起部６８が形成されても良い。
【００３２】
次に、この実施形態の定量注出容器８４の使用方法について説明する。容器本体１２にうがい薬などの薬液を入れ、容器本体１２の取出口１４に、あらかじめ中栓バルブ１０２、注出口部材１０８を組み立てた中栓本体８６を取り付ける。さらに、容器本体１２の取出口１４に、図示しないキャップを取り付ける。ここでキャップは、取付状態で図６（ｂ）に示すように注出口部材１０８が押し下げられ、スプリング９８の帯体９８ａが圧縮されて、注出口部材１０８の注出弁１１０は中栓本体８６の計量部１００に密着して閉鎖され、液漏れを防いでいる。
【００３３】
容器本体１２から薬液を取り出して使用するときは、まずキャップを外すと、図５、図６（ａ）に示すようにスプリング９８が復元して、注出口部材１０８はスプリング９８に付勢されて上方へ移動する。このとき、注出口部材１０８の注出弁１１０が中栓本体８６の計量部１００から離れて開口し、中栓バルブ１０２の注入弁１０６が、中栓本体８６の仕切壁部９２の開口縁に密着して注入口９４を閉鎖し、容器本体１２の収容物が注出しない状態となる。
【００３４】
次に、指等で注出口部材１０８を押し下げ、注出弁１１０を閉じて注入弁１０６を開く。これにより、スプリング９８が弾性変形して、注出口部材１０８の注出弁１１０が中栓本体８６の計量部１００に密着して閉鎖し、中栓バルブ１０２の注入弁１０６が中栓本体８６の仕切壁部９２から離れて注入口９４が開口する計量状態となる。この後、容器本体１２を逆さまにすると、容器本体１２の内容物が計量部１００に流れ込んで満たされる。
【００３５】
そして、注出口部材１０８の押圧を解除すると、スプリング９８が復元して、注出口部材１０８の注出弁１１０が中栓本体８６の計量部１００から離れてガイドリブ１１４以外の部分が注ぎ口として開口し、中栓バルブ１０２の注入弁１０６が中栓本体８６の仕切壁部９２に密着して注入口９４を閉鎖する注出状態となる。そして計量部１００内に計量された収容物が、注ぎ口から注出され、器８２に取り出される。このとき、注入弁１０６は注入口９４を閉鎖しているため、容器本体１２内の収容物が余分に注出されることがない。使用後は、容器本体１２を元の向きに戻し、キャップを取り付け、安全に保管する。
【００３６】
なお、この実施形態の定量注出容器８４も、上記実施形態と同様の注出方法により定量を計量し、注出させることもできる。
【００３７】
この実施形態の定量注出容器８４は、上記の実施形態と同様の効果を有するものである。また、スプリング９８が中栓本体８６と一体成形されているため、部品点数が少なく構造が簡略化される。また計量部１００の組み立ても、簡素化することができる。スプリング９８は中栓本体８６と同じ透明な合成樹脂で作られているため、見えにくいことから違和感がなく、外観がすっきりとする。注出口部材１０８の注出弁１１０と、計量部１００の上端面１００ａとの隙間が注出口となるため、面積が広く容易に収容物を注出することができる。また、注出弁１１０を閉じた状態では面積が広いことから内容物が漏れやすいが、注出弁１１０に計量部１００の上端面１００ａに密着する微小段部１１２が設けられているため、確実に液漏れを防ぐことができる。
【００３８】
なお、この発明の定量注出容器は、上記実施の形態に限定されるものではなく、上記第一実施形態の注出口部材を第二実施形態のように指で操作しても良い。素材や形状、各部材の形状なども、自由に変更可能である。また、用途は薬品や化粧品、その他液体を収容して一定量を取り出すものであればよく、上記実施形態には限定されない。
【実施例１】
【００３９】
以下に、この発明の定量注出容器の一実施例について説明する。この定量注出容器は、比較的少ない容量を定量して利用する液体製品に用いることができ、例えば、うがい薬、洗口液のように、容器の操作において手指が内溶液に触れることのない液体製品に用いることが好ましい。実施例としては、殺菌剤（ポピドンヨード、塩化セチルピリジニウム、デカリニウムクロライド、グルコン酸クロルヘキシジン、ミルラチンキ、イソプロピルメチルフェノール、トリクロサン等）を含む洗口剤、うがい薬等の口中製剤があげられる。この実施例のうがい薬の成分と配合量を表１に示す。
【表１】
0005209185.tif 000002
【００４０】
この発明の実施例の定量注出容器を用いたうがい薬によれば、手や指に薬剤を付けることなく一定量を正確に計量して用いることができ、薬剤が多すぎて無駄になったり使用者に害が及んだりすることがなく、また薬剤が少なくて期待した効果が得られないと言うこともなく、常に最適の用量で適切な使用が可能となる。
【図面の簡単な説明】
【００４１】
【図１】この発明の第一実施形態の定量注出容器の斜視図である。
【図２】この実施形態の定量注出容器の注出する状態を示す斜視図である。
【図３】この実施形態の定量注出容器の部分拡大縦断面図である。
【図４】この実施形態の定量注出容器のキャップを取り付けた状態を示す正面図（ａ）と縦断面図（ｂ）である。
【図５】この発明の第二実施形態の定量注出容器の部分破断斜視図である。
【図６】この実施形態の定量注出容器の注出状態を示す縦断面図（ａ）と計量状態を示す縦断面図（ｂ）である。
【符号の説明】
【００４２】
１０  定量注出容器
１２  容器本体
１４  取出口
１８  中栓本体
２８  仕切壁部
３０  注入口
３４  第一支持軸
３６  計量部
３８  中栓バルブ
４０  支持部
４２  注入弁
４４  注出口部材
４６  注出弁
５０  第二支持軸
６８  操作用突起
７２  スプリング
【図１】
0005209185.tif 000003
【図２】
0005209185.tif 000004
【図３】
0005209185.tif 000005
【図４】
0005209185.tif 000006
【図５】
0005209185.tif 000007
【図６】
0005209185.tif 000008